(57)【要約】【課題】高濃度の摩耗性粉塵を集塵する場合にもダクト壁面を損傷することがなく、しかも据え付け後にも風量の調整が可能なオリフィスダンパを提供する。【解決手段】本発明は断面円形のダクト１０に装着されるオリフィスダンパに関するものであり、同一形状の開口１を備えた少なくとも２枚の遮蔽円板２を、相互間の角度を調整可能に密着配置したことを特徴とする。開口１の形状は扇形とすることが好ましい。本発明は、例えば集塵設備のダクトなどに用いられる。【選択図】図１ａ
2020045941.tif 000002
【特許請求の範囲】
【請求項１】
断面円形のダクトに装着されるオリフィスダンパであって、
同一形状の開口を備えた少なくとも２枚の遮蔽円板を、相互間の角度を調整可能に密着配置したことを特徴とするオリフィスダンパ。
【請求項２】
前記開口の形状を扇形としたことを特徴とする請求項１記載のオリフィスダンパ。
【請求項３】
各遮蔽円板が、その周縁部に長孔状の取付穴を所定間隔で備えたものであることを特徴とする請求項１記載のオリフィスダンパ。
【請求項４】
各遮蔽円板が、その周縁部の少なくとも２か所に、外側に突出する角度調整用凸部を備えたものであることを特徴とする請求項１記載のオリフィスダンパ。
【発明の詳細な説明】
【技術分野】
【０００１】
本発明は、集塵設備において集塵風量を調整する場合などに用いられるオリフィスダンパに関するものである。
【背景技術】
【０００２】
集塵設備の集塵用ダクトには、例えば特許文献１に示すように、集塵風量を調整するためのダンパが設けられている。
【０００３】
図４に従来のダンパの代表的な構造を示す。この図４において、５０は円形の遮蔽板、５１は遮蔽板５０を断面円形のダクト５２に軸支する中心軸、５３は中心軸５１の端部に設けられた角度調整手段である。角度調整手段５３を操作して遮蔽板５０を回転させることによって開口５４の面積を変化させ、風量の調整が行われる。
【０００４】
しかしこのような構造の従来型のダンパでは、風量を調整するために遮蔽板５０を回転させて開口５４の面積を減少させると、加速された摩耗性粉塵が傾斜した遮蔽板５０に誘導されてダクト壁面５５に衝突し、ダクト５２に穴が開くという不具合が生じることがある。
【０００５】
そのため、高濃度の摩耗性粉塵を集塵する場合には、図４に示された従来構造のダンパを用いず、図６、図７に示されるオリフィスダンパを用いている。図６のオリフィスダンパは、断面円形のダクト２３に対し、同心円の開口２１を有する遮蔽板２２を使用している。また図７のオリフィスダンパは、かまぼこ形の開口３１を有する遮蔽板３２を用いている。
【０００６】
これらのオリフィスダンパは、風量を調整するために開口面積を制限した遮蔽板２２、３２を直角に取り付ける構造のため、摩耗性粉塵がダクト壁面２４、３４に衝突して穴を開けることを防止することができる。ところが、図６、図７に示される従来のオリフィスダンパは、机上の圧力損失計算に基づき決定された開口面積で製作され、集塵風量を調整できる構造となっていない。
【０００７】
図５に、集塵設備の模式断面図を示す。この図において、６１は回転式のダンパ、６２は発塵源６７の上方に設置されたフッド６６の集塵口、６３はダクト、６４は集塵機、６４ａは濾布、６４ｂは集塵機６４の下部に設けられたロータリーバルブ、６４ｃはファン、６４ｄはマフラー、６５はダストである。
【０００８】
図５に示すように、１台の集塵機６４で複数個の集塵口６２から集塵する構成であり、それぞれの集塵口６２の必要集塵風量や、それぞれの集塵口６２から集塵機６４までのダクト長さが千差万別である。このため机上計算によるダクト計画では計画の集塵風量通りに集塵できない場合が多いため、止むを得ず集塵風量を調整できる図４のような構造のダンパ６１を用いている。このためダクト壁面が損傷され易いことは前述の通りである。
【０００９】
従って高濃度の摩耗性粉塵を集塵する場合には、オリフィスダンパを使用し、据え付け後に各集塵口６２の集塵風量を調整する必要が生じた場合には、遮蔽板２２、３２の開口２１、３１に板を貼ったり、遮蔽板２２、３２をガスで溶断し、開口面積を変更せざるを得なかった。しかし一か所のオリフィスダンパの開口面積を変更するとその影響が他の集塵口６２の集塵風量にも及ぶため、全ての集塵箇所の集塵風量を計画通りに調整するためには試行錯誤が必要となり、板を貼ったりガス溶断したりする方法では調整しきれないという問題があった。
【先行技術文献】
【特許文献】
【００１０】
【特許文献１】実開平３−８７０３４号公報
【発明の概要】
【発明が解決しようとする課題】
【００１１】
従って本発明の目的は上記した従来の問題点を解決し、高濃度の摩耗性粉塵を集塵する場合にもダクト壁面を損傷することがなく、しかも据え付け後にも風量の調整が可能なオリフィスダンパを提供することである。
【課題を解決するための手段】
【００１２】
上記の課題を解決するためになされた本発明は、断面円形のダクトに装着されるオリフィスダンパであって、同一形状の開口を備えた少なくとも２枚の遮蔽円板を、相互間の角度を調整可能に密着配置したことを特徴とするものである。
【００１３】
好ましい実施形態においては、前記開口の形状が扇形である。また、各遮蔽円板がその周縁部に長孔状の取付穴を所定間隔で備えたものである。また、各遮蔽円板がその周縁部の少なくとも２か所に、外側に突出する角度調整用凸部を備えたものである。
【発明の効果】
【００１４】
本発明のオリフィスダンパは、同一形状の開口を備えた少なくとも２枚の遮蔽円板を、相互間の角度を調整可能に密着配置した構造であるから、相互間の角度を調整することにより、開口面積を容易に変更することができる。従って従来のように遮蔽板に板を貼ったり、ガス溶断したりすることなく、各集塵箇所の集塵風量を調整することができる。このため他設備との関係でダクトルートの変更が必要な場合でも、所定の集塵風量に調整することが可能となる。またオリフィスダンパであるから、摩耗性粉塵がダクト壁面に衝突して穴を開けることもない。
【図面の簡単な説明】
【００１５】
【図１ａ】１８０°の扇形の開口を有する遮蔽円板を組み合わせ、１５０°の開口率としたオリフィスダンパの組立図の正面断面図、側面図である。
【図１ｂ】１８０°の扇形の開口を有する２枚の遮蔽円板の図１ａにおけるそれぞれの組付け角度を示した断面図である。
【図２ａ】１８０°の扇形の開口を有する遮蔽円板を組み合わせ、６０°の開口率としたオリフィスダンパの組立図の正面断面図、側面図である。
【図２ｂ】１８０°の扇形の開口を有する２枚の遮蔽円板の図２ａにおけるそれぞれの組付け角度を示した断面図である。
【図３ａ】２７０°の扇形の開口を有する遮蔽円板を組み合わせ、２４０°の開口率としたオリフィスダンパの組立図の正面断面図、側面図である。
【図３ｂ】２７０°の扇形の開口を有する２枚の遮蔽円板の図３ａにおけるそれぞれの組付け角度を示した断面図である。
【図４】集塵風量を調整するための従来構造のダンパの正面断面図、側面図である。
【図５】ダンパを用いて各集塵口の風量を調整するダクト構造を示す模式断面図である。
【図６】集塵風量を微調整出来ない従来技術の同心円の開口を有するオリフィスダンパの正面断面図、側面図である。
【図７】集塵風量を微調整出来ない従来技術のかまぼこ形の開口を有するオリフィスダンパの正面断面図、側面図である。
【発明を実施するための形態】
【００１６】
以下に本発明の実施形態を説明する。
図１ａと図１ｂは本発明の第１の実施形態を示す図である。図１ａにおいて１０は断面が円形の集塵用のダクトであり、そのフランジ接続部に２枚の遮蔽円板２、２が密着配置されている。各遮蔽円板２の材質は、高濃度の摩耗性粉塵の衝突に耐えることができる耐摩耗性鋼板とすることが好ましい。
【００１７】
各遮蔽円板２は、図１ｂに示されるように、中心角が１８０°の扇形の開口１を備えている。各遮蔽円板２はその周縁部に、長孔状の取付穴４１を所定間隔で備えている。この実施形態では、１６個の取付穴４１が等間隔で配置されているが、その個数や間隔はこれに限定されるものではない。これらの取付穴４１はダクト１０よりも外周に形成されている。ダクト１０への取付穴４１を長孔状としたのは、ボルトを緩めるだけで微小な角度調整を行うことができるようにするためである。
【００１８】
また各遮蔽円板２はその周縁部の２か所に、外側に突出する角度調整用凸部４２を備えている。角度調整用凸部４２は遮蔽円板２を回転させるとともに、取付角度を表示するためのものであるから、本実施形態のように中心点を挟んだ対向位置に配置することが好ましいが、必ずしもこれに限定されるものではない。
【００１９】
これらの２枚の遮蔽円板２、２を扇形の開口１、１の位置を一致させれば１８０°の開口率、すなわち１／２の開口率を持つオリフィスダンパとして機能するが、図１ａと図１ｂに示すようにそれぞれを水平線に対して１５°傾斜させ、相対的に３０°回転させて組付ければ、１５０°の開口率、すなわち５／１２の開口率を持つオリフィスダンパとして機能させることができる。
【００２０】
また図２ａと図２ｂに示す第２の実施形態のように、中心角が１８０°の扇形の開口１を備えた２枚の遮蔽円板２、２の一方をさらに回転させ、６０°の開口率、すなわち１／６の開口率を持つオリフィスダンパとして機能させることができる。この実施形態では、図２ｂに示す左側の遮蔽円板２はそのままで、右側の遮蔽円板２を相対的にさらに回転させている。
【００２１】
上記のように、中心角が１８０°の扇形の開口１を備えた２枚の遮蔽円板２を組み合わせれば、全閉から１８０°開口までの範囲で開口率を自由に調整することが可能となる。開口１を扇形としたことにより、開口率の計算が簡単に行える利点がある。
【００２２】
図３ａと図３ｂに示す第３の実施形態では、中心角が２７０°の扇形の開口１１を備えた２枚の遮蔽円板１２を組み合わせ、２４０°の開口率、すなわち２／３の開口率を持つオリフィスダンパを構成している。これらの２枚の遮蔽円板１２を用いれば、１８０°から２７０°までの範囲を調整することができる。
【００２３】
図５に示した集塵設備のダンパ６１に替えて上記した本発明のオリフィスダンパを用いれば、据え付け後にも各集塵口６２の集塵風量を調整することが可能となる。特に実施形態のように取付穴４１を長孔状としておけば、開口率の微小な調整が可能となるので有利である。
【００２４】
なお本発明の実施形態では、同一形状の開口を備えた２枚の遮蔽円板を用いたが、これに限定されるものではない。遮蔽円板の枚数は少なくとも２枚あればよく、３枚以上用いるようにしてもよい。
【００２５】
また本発明の実施形態では、遮蔽円板が、その周縁部の２か所に角度調整用凸部を備えているが、これに限定されるものではない。角度調整用凸部は少なくとも２か所あればよく、３か所以上あってもよい。
【００２６】
なお本発明は例えば、鋳物を鋳造により生産する鋳造工場に設置された集塵設備のダクトに適用することができる。
【符号の説明】
【００２７】
１  開口
２  遮蔽円板
１０  ダクト
１１  開口
１２  遮蔽円板
２１  開口
２２  遮蔽板
２３  ダクト
２４  ダクト壁面
３１  開口
３２  遮蔽板
３４  ダクト壁面
４１  取付穴
４２  角度調整用凸部
５０  遮蔽板
５１  中心軸
５２  ダクト
５３  角度調整手段
５４  開口
５５  ダクト壁面
６１  ダンパ
６２  集塵口
６３  ダクト
６６  フッド
６４  集塵機
６４ａ  濾布
６４ｂ  ロータリーバルブ
６４ｃ  ファン
６４ｄ  マフラー
６５  ダスト
６７  発塵源
【図１ａ】
2020045941.tif 000003
【図１ｂ】
2020045941.tif 000004
【図２ａ】
2020045941.tif 000005
【図２ｂ】
2020045941.tif 000006
【図３ａ】
2020045941.tif 000007
【図３ｂ】
2020045941.tif 000008
【図４】
2020045941.tif 000009
【図５】
2020045941.tif 000010
【図６】
2020045941.tif 000011
【図７】
2020045941.tif 000012